(57)【要約】      （修正有）【課題】設備をアクセス可能に設置可能な軽量スラブを提供する。【解決手段】強化されたコンクリート格子構築物により構成される網状の構造で、中身の詰まったコンクリートスラブと、内部に穴が存在する格子状のスラブとの混成物である。穴によって、全ての必要な種類の設備（ＡＣを含む）を通すことができるチャネルのネットワークが画定される。スラブ１の内部に画定された構造が最小限のコンクリートボリュームの内部に埋め込まれており、内部に空洞２を有し、空洞は、全ての方向に通ったチャネルのネットワークを表し、側面の穴３および／または上面の穴４で開口する。構造の上下に、鋼製の主要な強化部材のシステムが設けられ、第２の強化部材と称される他の中間強化部材が、この主要な強化部材を互いから隔てており、格子状のスラブに類似した構造ノード配置を形成する。【選択図】図１
2017082581.tif 000002
【特許請求の範囲】
【請求項１】
スラブによって拡張される設備を受け容れ可能な軽量スラブであって、
お互いに平行で、それぞれが網目状である、平行な２つの網目状の主要な強化部材（５）（６）と、
前記平行な２つの網目状の主要な強化部材（５）（６）の間に配置された他の第２の強化部材とを備え、
前記第２の強化部材は、前記主要な強化部材に対して斜めになるように、または、前記主要な強化部材に対して垂直に構成されて、一連のノードを形成しており、
前記強化部材は全て、コンクリートの充填物のボリューム内に埋め込まれ、構造上のコンクリートの規定に従って前記充填物により覆われて保護されており、
前記コンクリートの充填物のボリュームは、前記軽量スラブ内に空洞を形成する型枠によって画定され、
前記空洞は、エッジおよび頂点が滑らかである角柱形状またはピラミッド形状であり、前記エッジおよび前記頂点が滑らかであることで構造強度を向上させ、前記型枠を取り出す必要があるときに前記取り出しが促され、
前記コンクリートの充填物は、前記第２の強化部材および前記主要な強化部材と干渉しない部分に開口穴（４、３）を有し、前記空洞をお互いに接続させ、
前記空洞は、電気、電気通信、配管（plumbing）、空調、または換気設備を含む任意の種類の設備を収容するために、前記空洞の主要なボリュームおよび開口穴（３、４）を通じて全ての方向に延び、上部および底部（４）の少なくともいずれかと側面（３）とからアクセスされるように構成される、軽量スラブ。
【請求項２】
前記第２の強化部材は、不要な場合に前記充填物で置き換えることができ、または、前記充填物内に設けられる繊維からなる、請求項１に記載の軽量スラブ。
【請求項３】
前記主要な強化部材（５）（６）、および、第２の強化部材（７'−７''）は、一方向にのみ平行に延び、前記充填物内に埋め込まれた一方向の構造を構成する、請求項１に記載の軽量スラブ。
【請求項４】
前記主要な強化部材（５'−５''）（６'−６''）および前記第２の強化部材（７'−７''）は、二方向に平行に延びる、請求項１に記載の軽量スラブ。
【請求項５】
前記主要な強化部材は、配線で形成される、請求項１から４のいずれか一項に記載の軽量スラブ。
【請求項６】
前記軽量スラブは、組み立て中に前記主要な強化部材のためのスペーサとなる、床（２７）または天井（２８）のための支持部材を含む、請求項１から４のいずれか一項に記載の軽量スラブ。
【請求項７】
前記軽量スラブの空洞において、配線またはコンジットを含む設備の配設を可能とする部材（２１）を有する、請求項１から４のいずれか一項に記載の軽量スラブ。
【請求項８】
前記空洞のボリュームに対する前記充填物のボリュームは、前記軽量スラブの特定のゾーンに応じて変更されている、請求項１から４のいずれか一項に記載の軽量スラブ。
【請求項９】
前記軽量スラブの側面の穴に収まる再利用可能なカバーを含むことで、前記軽量スラブの内部空間を分割させる、請求項１から４のいずれか一項に記載の軽量スラブ。
【請求項１０】
前記軽量スラブは、線形に延びて梁、円柱、または、枠状の構造を形成し、水平に配置されている場合には、耐力壁を構成する、請求項１から４のいずれか一項に記載の軽量スラブ。
【請求項１１】
前記軽量スラブは、曲線状に延びる、請求項１から４のいずれか一項に記載の軽量スラブ。
【請求項１２】
前記軽量スラブは、前記空洞の空気の出し入れを可能にする可動部材または静止部材を備える、請求項１から４のいずれか一項に記載の軽量スラブ。
【請求項１３】
配線トレイ（２１）は、前記空洞内に延びるように配設され、前記軽量スラブの底部構造（リブ）により支持されてよく、前記配線トレイは、照明を支持することができる、請求項１から４のいずれか一項に記載の軽量スラブ。
【請求項１４】
前記軽量スラブの側面の穴および底部の穴（４０）のカバー（３９）は、プレナム空気分配ゾーンを画定するよう配置される、請求項１から４のいずれか一項に記載の軽量スラブ。
【発明の詳細な説明】
【技術分野】
【０００１】
本発明は、設備をアクセス可能に設置可能なスラブ、または類似した軽量構造部材に関する。
【０００２】
発明の名称が示唆するように、本発明は、通常はコンクリートが充填され、構築中に適切なスラブ形状を形成する型枠材を含む、内部を鋼で補強されたスラブ型構造に関する。
【背景技術】
【０００３】
この種類の構造についてはいくつかの構築システムが既に公知である。通常は、中空または中身の詰まった部材であり、内部空間にはアクセスできない。用途に応じて、床部がこの構造状に設けられたり、底部に天井部その他の仕上げがなされたりしている。各設備（電気、ガス、電話、水等）は、床システムの下の懸架天井部に、または、壁内に隠されている。これら空の部分が構築物の断面の一部を占めており、多くの場合、居住空間の高さまで達している。通常は電気、インターネット、電話、ＡＣシステム等のための配線が、隆起した床システムの下部に配設され、一方で、照明、防火システム、またはＡＣシステム等の設備は天井に隠すことが望ましい。
【０００４】
コンクリート製の中空の矩形スラブであって、低重量な構造を有し、内部空間全体に設備を配設し、且つどこからもアクセス可能になっているような矩形スラブを開示する引例はみあたらない。
【０００５】
駐車用ビルの建造のためのワッフル状のスラブの建築に利用される型枠は、発明された開口したボックス型部材を互いに距離を空けて利用している。ボックス間のこの空間によって、壁が画定されており、その上に床の表面が存在している。最終的な製造物は、構造物の重量が低減された底面にキャビティが連続して形成されたスラブであるが、これは設備を内部に隠したり、配設するために利用したりすることができず、構築時間も短くならない。この種類のスラブの断面は、天井および床システムが占有する空間を考慮しなくても、他のどの種類よりも大きい。
【０００６】
米国特許第4,967,533号明細書は、内部に穴部を有する種類のスラブを請求しており、穴の間に壁がないことで、前述した設備を収容可能なチャネルのネットワークを生成することが不可能である。このスラブは、上部または底部にいくつか建築設備用構造が追加されてはいるものの、これらに構造用途はなく、それ以外の点では、他の従来のスラブと類似している。
【０００７】
強化されたコンクリート製のデッキスラブを指示して、水平面に設備を配設することができるような鋼の格子状の構造も公知である。また、コンクリート製であり、特定の穴部が網目状またはシステマチックな配置になっていないような一方向の梁構造も開示されている。他にも、上面に穴部があり、側面には穴部がないようなスラブも存在している。
【０００８】
米国特許第5,315,806号明細書は、ピラミッド状の構造を持つコンクリートスラブを請求しており、これは上部および底部の網状のコンクリート構造であり、一面からのみアクセス可能な、互いに接続された穴部を持っている。
【０００９】
水平方向に並んだコアが構築設備を収容できるようになった一方向のコアスラブももつ。設備は、特定の場所からしかアクセスできず、上面／底面全体からアクセスできるわけではない。
【００１０】
さらに、アメリカ人の建築家ルイス・カーン（Luis Kahn）氏により、四面体を組み合わせた網状のコンクリートスラブが提唱されている。設備は、コンクリートが充填されていない穴部間から、三方向ではなく、一方向にしか配設できない。
【００１１】
米国特許第5,220,765号明細書は、水平方向および垂直方向の部材からなり、上側に水平方向の蓋部を有するスラブを請求しており、このスラブは、せん断に対する抵抗力が限られており、三角形に分割されない（triangulation）。
【発明の概要】
【００１２】
（ａ）この発明で請求されるスラブは、強化されたコンクリート格子構築物により構成される網状の構造である。このスラブ構築物は、中身の詰まったコンクリートスラブと、内部に穴が存在する従来の格子状のスラブとの混成物である。穴によって、全ての必要な種類の設備（ＡＣを含む）を通すことができるチャネルのネットワークが画定される。この発明のスラブは、（ｂ）２つの主要な強化部材、および、（ｃ）最小限の量の充填物（好適にはコンクリートである）を有し、互いに並行に設けられた該２つの主要な強化部材に対して、他の第２の強化部材が、交差する方向に設けられて、該２つの主要な強化部材の間を隔てて、第１の強化部材との交差部に構造状のノードを形成しており、該最小限の量の充填物には、前述した構造状のノードを形成する強化部材が埋め込まれ、上面および底面に、第１の強化部材に沿って広がる。内部には全ての方向に穴を残存させることで、チャネルのネットワークが形成され、スラブはさらに、（ｄ）コンクリート充填物を形成する、端部および頂点が滑らかな切頂ピラミッド形状のボリュームからなる型枠を有する。
【００１３】
内部穴が、本発明の基本的な特徴部である。穴は、構造物に、仮想の角柱によって残る空の空間によって形成され、少なくとも対向する面の２つの側面で開口しており、次のボリュームと接続しており、あらゆる種類の設備を配設したり空調循環を可能としたりする用途に利用可能なチャネルのネットワークを形成する。穴は、上部および／または底部にも開口しており、これら穴から内部のチャネルにアクセス可能になっている。
【００１４】
第２の強化部材は、（ａ）二重対角であり、主要な強化部材との交差部で、および、中間の交差点でノードを形成する構成、（ｂ）対角であり、主要な強化部材との交差部でノードを形成する構成、または、（ｃ）主要な強化部材に垂直な構造状の部材、という複数の構成をとることができる。
【００１５】
一実施形態では、第２の強化部材を、充填物に含まれる耐性の繊維とする。第２の強化部材は、充填物から形成されていてもよい。
【００１６】
第１の強化部材は、４５度の角度で交差する他の強化部材により強化されてもよい。全ての強化部材は、技術的な要件およびスラブを現場で製造するか、またはプレハブ部材として準備するか、に応じて、配線、金属プロファイル、または圧力を加えられる前のケーブルであってよい。
【００１７】
第１および第２の強化部材は、同じ方向に平行に配置して、一方向の構造としたり、または二方向の構造にして二方向の構造としたりすることができる。
【００１８】
三方向に配置して、三方向の構造にしてもよい。
【００１９】
このスラブを製造するために利用される型枠も本発明の対象である。スラブが球形状であることから、型枠システムのために新たな部材を設計する必要がある。
【００２０】
本発明の製造にはさまざまな解決法が提案される。
【００２１】
型枠は、再利用可能（recoverable）とすることができ、次のモジュールとの側面方向の距離を決定する底部板、柔軟な（softened）エッジ部を持ち内部穴を画定する平行六面体または切頂ピラミッド形状の部分、および、主要なモジュールの２または４つの側面にフィットされる第２のボリュームとによって形成される。これらの部材は、充填物の側面の穴を構成しており、底部のほうの断面を大きくすると好適である。取り出しを容易にするためには、円筒状または切頂ピラミッド形状である必要がある。これらボックスは、流し込み、圧縮（compact）が正確に行われていることを視覚的にチェックすることができるように、透明な材料で形成されるとよい。
【００２２】
一方向の構造を構築するために利用するある種類の型枠は、ボックスの半分で画定される。各半分が、構造の一側面、および、上面および底面の半分を形成する。多面体の突起部が適切なゾーンに形成されることで、構造内に穴を予め形成する。
【００２３】
このスラブを構築するために利用可能な別の種類の型枠は、構造の内部の空洞を画定しており、再利用可能であり、次のものと接続されることで穴または内部チャネルを画定している半球形状の板により形成される。これらの部材は、表面のいずれかとつながれた穴を通して上部または下部から取り出すことができる。
【００２４】
構造の内部穴を画定するための新たな種類の型枠は、合成材料、モルタル、またはセラミックス（好適には絶縁性材料）で形成される部材によって形成される永久的な型枠からなる。これら部材はそれぞれが、それ自身でまたは他の部材と接合されることで、次の穴と連通する各穴を形成する。この配置は、内部チャネルのネットワークとして機能する。
【００２５】
別の種類の型枠は、合成材料またはゴム材料からなる２つの薄板からなり、好適に互いに接合されることで、空気を吹き込まれると、互いから離れて部材間の距離を画定するようになっている。これら部材により内部の空洞が画定されて、構造状のノードに空間が形成される。
【００２６】
別の種類の型枠は、網状の配置を有する膨張可能な風船から形成される。これらは、空気を吹き込まれると側面に接続される。これらは、ポンプ（２６）に取り付けられた気体ダクトのネットワークに関連付けられる。
【００２７】
これにより、空気を吹き込まれると、プレハブ構造が上部に構築される。空気が抜けたときに、取り出しを行うことができる。
【００２８】
床および天井を支持する部材は、構造の充填部に埋め込まれる。これら部材は、搭載時に強化部材の部材を分離する役割を果たす。チャネルの内部ネットワークは、配線その他の構築設備を受け取る部材を有する。
【００２９】
さらに、モジュールの側面の穴に嵌合されて内部空間を分割して、空調供給または燃焼ゾーン（fire zone）の形成のために利用可能な再利用可能なカバーのシステムを含んでもよい。
【００３０】
これまで、一方向または網状の平面構造について説明してきた。つまり、空洞を設けられた部材が直線状に配置されると、梁、円柱、または枠状の構造が形成される。曲線状に配置された場合には、ドーム形状となる。
【００３１】
別の構造のスラブは、既存の穴を上面と底面とで分離させる中央の筐体を画定しており、筐体の両面（床と天井）にチャネルのネットワークを形成する。
【００３２】
最後に、一部のケースでは、第２の強化部材の代わりに、充填物に耐性を有する繊維resistant fibber）を含めることもできる。
【００３３】
このようなスラブは、天井および床のシステムが構造状の機能を果たさない従来のスラブと比べると、慣性モーメントが大きく、中間的なサポートなしに、３０メートルにわたり形成することもできるので、コンクリートおよび鋼の節約になる。床および天井を直接スラブで支えると、床または天井を隆起させるためのデバイスが特に不要となる。
【００３４】
水平方向の穴によって、全ての種類の設備の配置が可能となり、さらに、大きな空調の流れを全ての方向に可能として、プレナム分配システムを、管系統なしに画定することができる。
【００３５】
天井をなくすと、オフィスビルにおいて、床との間の高さを約４０ｃｍ低くすることができるようになるので、ビルの高さと床数の間の良好な関係を達成することができるようになる。
【００３６】
本発明の利点は、上述した記載と以下のさまざまな例を参照することで容易に理解されると思われる。本記載は以下に簡単に説明する図面に基づいている。
【図面の簡単な説明】
【００３７】
【図１】本発明における好適なスラブ構築物を示す。
【図２】このスラブの構築に適した種類の鋼製の強化部材を示す。
【図３】このスラブの構築に適した種類の鋼製の強化部材を示す。
【図４】第２の対角強化部材を示すスラブの断面図である。
【図５】垂直方向の構造部材により形成される第２の強化部材を有するスラブの断面図である。
【図６】図４の強化配置から形成される二方向のスラブを示す。
【図７】２つの第２の対角強化部材を有する一方向の構造バージョンにおけるスラブ構築構造の別の視野である。
【図８】これらスラブの構築に利用される再利用可能な型枠システムの２つの視野（平面図および断面図）であり、搭載されたときの、部分的な断面図が示されている。
【図９ａ】側面窓を有する種類の再利用可能な型枠の一例の詳細の断面図である。
【図９ｂ】側面窓を有する種類の再利用可能な型枠の一例の詳細の断面図である。
【図１０】上側窓の型枠が嵌合される再利用可能な種類の型枠の一例の詳細図である。
【図１１】側面窓の型枠に利用可能な幾何学構成を示す。
【図１２】一方向スラブおよびその構築に利用される型枠の断面図および垂直面を両方とも示す。
【図１３】この種類のスラブを構築するために利用される再利用可能な他の種類の型枠を示す。
【図１４】図１３に示す型枠で構築されるスラブを示す。
【図１５】永久的な型枠と、これを用いて構築されるスラブの断面図を示す。
【図１６】この種類のスラブを構築することのできる空気注入式の型枠の他の例の平面図であり、各セクションがマークされている。
【図１７】別の例である空気注入式の型枠の、スラブを搭載する処理と完成後とを示す２つの断面図である。
【図１８】他の部材への取り付けを含む、本発明にしたがって構築されるスラブの異なる点で取られた断面図である。
【図１９】他の部材への取り付けを含む、本発明にしたがって構築されるスラブの異なる点で取られた断面図である。
【図２０】構造中に、型枠を線形の構造部材を形成するために利用する例を示す。
【図２１】構造中に、型枠をドーム形の構造部材を形成するために利用する例を示す。
【図２２】水平方向の内部筐体によって分割される具体的な構造を示す一方向のスラブの透視図である。
【図２３】円筒状部材同士を組み合わせることにより型枠を形成する方法の概略図である。
【図２４】円筒状部材同士を組み合わせることにより型枠を形成する方法の概略図である。
【図２５】穴内に配設される設備の断面図と、穴内に配設される設備の不等角投影図を示す。
【発明を実施するための形態】
【００３８】
図１、図６、図７、および図１４では、スラブ（１）の内部に画定された構造が最小限のコンクリートボリュームの内部に埋め込まれており、その内部に空洞（２）が存在している。この空洞（２）は、全ての方向に通ったチャネルのネットワークを表しており、側面の穴（３）および／または上面の穴（４）で開口している。
【００３９】
このスラブ（１）では、構造の上下に、鋼製の主要な強化部材（５，６）のシステムが設けられている第２の強化部材と称される他の中間強化部材（７）が、この主要な強化部材（５，６）を互いから隔てており、格子状のスラブに類似した構造ノード配置を形成している。
【００４０】
図１、図６、および図１４に示すように、スラブ（１）の内部空間を画定している空洞群（２）は、次のスラブに対して、側面の開口によって接続されており、これにより、１つの方向または網状の二方向に、直線状につながった内部チャネルを形成している。これら空洞群（２）は、上面および底面の穴（３）および（４）に対しても開口している。こうすることで、チャネルの内部ネットワークにアクセスして、設備を導入したり、既に導入されている設備に保守作業を行うことができるようになる。
【００４１】
図２および図３は、それぞれ一方向および二方向の例を示す。図２は、両方とも一方向の平行線上にあり、２の二重対角強化部材（７）により分離されている、主要な強化部材（５）（６）を示す。図３は、主要強化部材（５'−５'）および（６'−６'）および第２の二重対角強化部材（７'−７'）が二方向に交差している同等の構造を示し、二方向の網目状の構造である。
【００４２】
第２の強化部材はそれぞれ別の構造を可能とする。図２および図３は、二重対角構成を示しており、この構成では、内部ノードおよび外部ノードとが、主要な強化部材（５）または（６）との交差点において形成されている。図４は、別の配置が示されており、第２の強化部材によって対角構成が形成されている。最後に図５は、第２の部材が主要な部材に対して垂直な構成を示している。
【００４３】
図６は、上面、底面、および、側面に対して開口した第２の対角強化部材を有する二方向構造のスラブの一例を示している。図７は、強化部材が二重対角線上にある一方向スラブの例を示している。このケース両方で、既存の穴で側面にリンクされており、側面チャネルを形成している複数の穴（３）が見られる。二方向の例では、空洞（２）の少なくとも上面または底面が他の穴（４）に対して開口しており、一方向の例では、二次構造方向の穴が、穴を介して互いにリンクされているチャネルである。穴は、少なくとも上面または底面に対して開口しており、反対側の面では閉じている。
【００４４】
図７は、主要な強化部材と二次的な強化部材とを示しており、これら部材は互いに一方向に平行に配置されており、充填物が流し込まれることで一方向の構造が形成される。
【００４５】
この種類のスラブを形成可能な型枠が図８に示されている。この型枠は、再利用が可能であり、（ａ）モジュール間の距離を決定し、構造および充填物を支持するための、平行六面体または切頂ピラミッド形状（８）であり、滑らかなエッジ部がスラブの空洞の主要なボリューム（２）を画定している底部板と、（ｂ）２つの面または４つの面を持つ側面に取り付けられ、充填物の側面の穴を構成する二次的なボリューム（ボリュームは、円筒状または切頂ピラミッド形状の底部の断面をより大きくすることで、取り出しが容易であると好適である）と、（ｃ）上部から続いており、下部からの取り出しを容易にする上部窓（９）とによって形成されている。
【００４６】
二次的なボリュームまたは窓は、主要なボリュームに取り付けられ、互いに取り付けられて動かないようにされている２つの切頂円錐形状の部分からなる。エッジ部を滑らかにすることで、主要な型枠に残される穴からの取り出しが容易になっている。
【００４７】
図１１は、第２の強化部材（１０'）（１０''）（１０'''）をシステムの固体のゾーンその他の設備の需要に適合させる目的から、型枠の二次的なボリュームまたは窓が、閉じていたり（１０）、または開口していてよく、それぞれ別のサイズであってもよいことを示している。
【００４８】
側面窓部および主要のボリュームをどう取り付けるかによって、別の種類の接合を採用することができる。図９ａは、型枠の側面の二次的なボリュームが主要な部材に取り付けられて、主要な部材に垂直に動かせる様子を示している。これらは、重なるように固定されて、コンクリートを流し込んだときにも取り出せるようになっている。図９ｂは、型枠の二次的なボリュームが、支持立方体に対して平行な配置となっており、部材が移動しないようにされている様子を示す。別の弾性を有する部材が、これらの接合部の間を封止している。
【００４９】
図１０は、型枠の上部の穴が側面の窓同士を結合して、型枠全体が主要なバケツを必要としないようになっている別のケースを示す。
【００５０】
側面の窓の穿孔部を介して、横方向の取り付け具（fitting）（３９）を取り付けて、コンクリートを流し込むことでかかる圧力によって部材が垂直方向に動かないようにしている。取り付け具は、部材を取り除く前に取り除かれる必要がある。
【００５１】
型枠の上面の穴は、別のサイズであってもよく（９'）（９''）、適宜変更も可能である。これらは、小さな断面の設備を通すために利用することができる。断面が大きくなると、上面から設備部分をチェックするために利用したり、三次元の格子部材を形成したりする用途にも利用することができる。
【００５２】
型枠の上部の二次的なボリュームがずれないように、二次的なボリュームを、主要なボリュームに対して取り付ける、または、ねじ止めする。
【００５３】
型枠の作成にあたっては、ボックス（９）および管状の側面部材（１０）を透明な合成材料で作成することで、取り出し前に充填物の流し込み、圧縮（compact）状態を視覚的にチェックすることができるようになる。任意で、この型枠に対して、流し込みで残った空気を排出可能な穴を設けてもよい。
【００５４】
図１２は、一方向の構造として上述したものと類似した型枠を示す。この型枠は、ボックスの半分（１１）により形成されている。これらのそれぞれが、構造の一側面、並びに、上面および底面の半分を形成し、多面体形状の突起物を形成して、これによって構造の既存の穴（３）が形作られている。
【００５５】
図１３は、スラブを支持する底面を画定する板（１２）の配置によって形成される別の型枠の形成方法が示されている。これらの板（１２）では、半球状の部材（１３）を網目状の配置（distribution）に配設する地点が画定されている。これらの部材は、スラブ内の穴を画定している。これらの部材が互いに接続されることで、チャネルの内部ネットワークが形成される。示される例では、半球状の部材（１３）におて、支持板（１２）に位置するストップ（１７）に対して係合させるための回転軸を構成するボルトのキャップ（１６）が画定されている。この部材を４つ搭載することで、上部が補助部材（１４）で固定閉鎖された、回転楕円体が形成される。底部穴は、支持板（１２）によって画定されている。側面の穴は、回転楕円体が次の回転楕円体に接続されたときに形成される。
【００５６】
これら部材の取り出しは、上部カバー（１４）を取り除いて、半球体（１３）の１つを、穴の１つから取り除かれた場所から穴の内部に向けて開口させることにより行われる。
【００５７】
下から取り出すための別の方法として、板（１２）をまず取り除いてもよい。
【００５８】
図１４は、この種類の型枠から得られるスラブの一部を示している。この結果生成されるのは、内部穴（２）がたくさん詰まっており、側面の穴（３）同士がリンクされ、且つ、側面の穴（３）が上面の穴（４）にリンクさせた、スポンジ状の部材である。
【００５９】
図１５は、延伸スチレン樹脂（expanded polystyrene）、または、上に設けられる型枠を支えるに足る同様の絶縁特性と強度とを持つその他の任意の合成材料からなり、半球形状の部材か（１８）らなる永久的な型枠の別の生成方法を示す。２つの半球（１８）は組み立てられて、次のものに自身の穴を介して接合され、この構築技術を特徴づける穴の配置が定義されている。この場合、半球（２０）の筐体によって、スラブの上面は継続して閉じられている。こうすることで、型枠の上にコンクリートを流し込ませることができ、このスラブシステムに、普通は穴がない連続した面を作成することができるようになる。
【００６０】
図１５が示す垂直断面図に見られるように、穴（２）が画定しているチャネルの内部空間には、部材（２１）を設けて、複数の配線または複数のチャネルを固定することもできるし、また、この場合はスラブの上面が閉じられていることからチャネル（２２）を内部空間に直接設けて、天井の底部に設けられた穴からアクセスが可能とすることもできる。このモデルでは、チャネルを画定する内部穴が絶縁材料で覆われているので、物の移動、または、空調の起動のために直接利用することができる。
【００６１】
さらに、主要な穴の側面の穴に再利用可能なカバーの内部システムを適合させることで、内部空間を分割して、ＡＣ用チャネルまたは防火用のゾーンを生成することもできる。スラブの外周部の穴には、可動オブジェクトまたは静止オブジェクトを配置することができ、これにより、空気を取り入れたり排出したりすることが可能となり、内部穴から生じた火が生成する気体の排出も可能となる。
【００６２】
図１６には、永久的な型枠の別の構築方法が示されており、この型枠は、合成材料またはゴム材料からなる２つの薄板（２３）から形成されている。これらの板は、適切に接合されることで、空気を吹き込まれると膨張して、スラブ（２）の穴が形成されるようになっている。さらには、スラブの強化部材が示される外周で正しく溶接された切断部（２４）がある。
【００６３】
この種類のスラブは、動かない、永久的または再利用可能な部材であるために、搭載が非常に容易である。大きな表面を短時間で設けることができる。
【００６４】
図１７に示す型枠は、上述したスラブの別の変形例である。この型枠は、型枠に既に設けられている穴を画定している複数の風船（２５）により形成されている。風船群（２５）全体が、チャネルのネットワーク（２６）と底部で関連付けられており、空気を吹き込まれると、図面に示す構成となり、対応する上部および底部の網状の強化部材を含むピラミッド状の構造が風船間の内部空間内に配置されると、コンクリートが流し込まれ、風船がしぼむ（deflect）と、底部から取り出されるようになっている。この構成は、これら特徴を有するプレハブの部材を作成するために最適な構成である。
【００６５】
図１８は、床および天井システム用の支持部材（２７）（２８）を示しており、これらはさらに、スラブの構築中に搭載中の強化部材の離れた部材を画定している。
【００６６】
図１９は、床（２９）と天井（３０）とを有するスラブを示す。底部の穴（２）を利用して、照明機器（３１）が隠され、他の穴には、配線トレイ（２１）を配設して、設備部材を受け容れてスラブ内に通すようにしている。構成の別の部分は、日中にスラブの穴から光を透過させる拡散部材で覆われた天井として機能する。夜になると、照明機器（３１）が底部の穴に配置される。
【００６７】
図２０は、本発明のスラブと同じ配置の部材である梁または円柱形状（３２）を示しており、穴（２）が内部空間に設けられたコンクリート構造が、構造状の格子部ノードを示している。これは美的または建築上の用途にも利用可能である。
【００６８】
曲線状に延びる仮想の角柱ボリュームの場合には、図２１に示す構成とすることができ、この図は、網目状であり、強化部材を導入するためのノードにより分離されている穴がたくさんあるドーム状の構成を示している。
【００６９】
図２２のスラブは、図７に関連して説明したものに類似しているが、既に設けられている穴を上面および底面に分離する筐体（３４）を有しており、筐体の両側で（つまり、床部および天井部で）チャネルのネットワークが形成されている。この例では、第２の強化部材が対角線上にあり、現場で以下の２つの段階を経て構築することができる。つまり、最初の段階で、ボックスおよび側面の穴を設けた後で、充填物を底部および筐体に流し込んで、第２の段階で、主要な型枠ボックスおよび側面の穴を設けた後で、充填物を上部に流し込むことにより構築可能である。
【００７０】
本発明で請求するスラブの構成では、主要な底部および上部の強化部材が配線であってもよいし、現場でプレスされてもよいし、または工場において予めプレスされてもよく、これにより、充填物に圧力がかかり、弾性が増す。穴のボリュームに対する充填物のボリュームは、構造のゾーンごとに必要となる耐性に応じて変更可能である。重要な場所の強化部材は、外形を圧延（rolled profiles）により形成することができる。さらには、第２の強化部材を利用する代わりに、充填物に耐性を有する繊維（resistant fibber）を含ませてもよい。
【００７１】
図２３および図２４は、円筒を交差させた部材（３７）が形成する、交差する３つの方向に配向された単純化された型枠を示している。これらは、回転楕円体（３８）に、または互いに取り付けられると、取り除くことができる。
【００７２】
図２５は、配線トレイ（２１）に穴を通過させた際の断面を再度示す。これらのトレイは、スラブの底部構造のリブ部から直接吊るされている。図面からもわかるように、これらトレイは、照明機器その他の部材を支えることができる。
【００７３】
さらに、側面（４０）および底部（３９）の穴にはカバーを設けることもでき、これらは、別段の配管を設けることなく、空気をプレナム状態で供給する領域を画定することができる。この不等角投影図では、プレナムではなくて、従来の空気循環システムが、可撓性を有する通気管または拡散器を介して配置されている。
【図１】
2017082581.tif 000003
【図２】
2017082581.tif 000004
【図３】
2017082581.tif 000005
【図４】
2017082581.tif 000006
【図５】
2017082581.tif 000007
【図６】
2017082581.tif 000008
【図７】
2017082581.tif 000009
【図８】
2017082581.tif 000010
【図９ａ】
2017082581.tif 000011
【図９ｂ】
2017082581.tif 000012
【図１０】
2017082581.tif 000013
【図１１】
2017082581.tif 000014
【図１２】
2017082581.tif 000015
【図１３】
2017082581.tif 000016
【図１４】
2017082581.tif 000017
【図１５】
2017082581.tif 000018
【図１６】
2017082581.tif 000019
【図１７】
2017082581.tif 000020
【図１８】
2017082581.tif 000021
【図１９】
2017082581.tif 000022
【図２０】
2017082581.tif 000023
【図２１】
2017082581.tif 000024
【図２２】
2017082581.tif 000025
【図２３】
2017082581.tif 000026
【図２４】
2017082581.tif 000027
【図２５】
2017082581.tif 000028